(57)【特許請求の範囲】
【請求項１】
電気コネクタ（１１）であって、該電気コネクタ（１１）が、第２の差込コネクタ（１３）に着脱可能に軸方向で連結可能である第１の差込コネクタ（１２）を備えており、前記第１の差込コネクタ（１２）のケーシング（１４）が絶縁材料から成っており、コンタクトエレメント（２４）を受容する複数の受容室（２２）が前記ケーシング（１４）に相並んで形成され、これらの受容室（２２）にそれぞれ１つのコンタクトエレメント（２４）が軸方向で挿入可能であり、該コンタクトエレメント（２４）が、挿入方向で前方に位置する露出した端部領域（２７）に、第２の差込コネクタ（１３）のコンタクト部分（３２）とコンタクトするためのコンタクト位置（３１）を備えたコンタクト区分（２８）を有し、該コンタクト区分（２８）に、中央区分（３４）とネック状の移行区分（３６）とが接続されており、前記コンタクトエレメント（２４）の他方の端部領域に接続区分（３７）が続いており、さらに前記電気コネクタ（１１）が前記ケーシング（１４）に移動可能に支承されたロックエレメント（４６）を備えており、前記コンタクトエレメント（２４）が前記受容室（２２）に完全に差し込まれると、前記ロックエレメント（４６）が、前記受容室（２２）への前記コンタクトエレメント（２４）の挿入方向に対して横方向に、ロック解除位置から、前記コンタクトエレメント（２４）の軸方向の移動を防止するためのロック位置に移動可能であり、さらに前記電気コネクタ（１１）が前記ケーシング（１４）に配置されたシール手段（１９）を備えており、前記電気コネクタ（１１）が連結された状態で、前記第２の差込コネクタ（１３）に対して前記第１の差込コネクタ（１２）を前記シール手段（１９）がシールする形式のものにおいて、
少なくとも前記コンタクト区分（２８）がコンタクトフレーム（３９）によって取り囲まれ、少なくとも１つのロック体（４４）が前記コンタクトフレーム（３９）の外側に位置するように該コンタクトフレーム（３９）に取り付けられ、前記ロックエレメント（４６）のロック位置で、該ロックエレメント（４６）が前記ロック体（４４）を形状接続により軸方向でカバーしており、前記シール手段（１９）が少なくとも部分的に前記移行区分（３６）に対して半径方向の間隔をおいて配置されており、前記ロック体（４４）が、前記コンタクト位置（３１）の側方に設けられていることを特徴とする電気コネクタ。
【請求項２】
前記コンタクトフレーム（３９）がケース状に形成され、前記端部領域（２７）において前記コンタクトフレーム（３９）の側壁（４１）に前記ロック体（４４）が形成され、該ロック体（４４）が前記ロックエレメント（４６）の移動方向に対して横方向に延びている、請求項１記載のコネクタ。
【請求項３】
前記ロックエレメント（４６）がコード部分（４７）を備え、第２の差込コネクタ（１３）が補足的にコード化された場合しか、前記電気コネクタ（１１）を閉鎖するための両方の差込コネクタ（１２，１３）の連結を行うことができないように、前記コード部分（４７）が形成されている、請求項１記載のコネクタ。
【請求項４】
前記シール手段（１９）が半径方向シールとして形成され、該シール手段（１９）が、前記電気コネクタ（１１）が閉鎖された状態で、前記第２の差込コネクタ（１３）の差込受容部（１６）の内面（２１）に摩擦接続で支持されている、請求項３記載のコネクタ。
【発明の詳細な説明】
【０００１】
背景技術
本発明は請求項１の上位概念に記載の電気コネクタから出発している。ドイツ連邦共和国特許第４１１５１１９号明細書によって、第１の差込コネクタとこの第１の差込コネクタに対応配置可能な第２の差込コネクタとから形成され、第１の差込コネクタに受容室が配置可能で、この受容室に、導線の端部側に接続されたそれぞれ１つのコンタクトエレメントが挿入されている、電気コネクタが公知である。
【０００２】
両方の差込コネクタを接合する際に、第２のコネクタにおける対応コンタクトエレメントが、それぞれ対応コネクタエレメントに向いた、コンタクトエレメントの自由端部を形成するコンタクト区分に入り込む。この場合に生じる力によって、コンタクトエレメントが軸方向で押し戻されるのを防止するために、コンタクトエレメントは、第１の差込コネクタに移動可能に支承されたロックエレメントによって、該ロックエレメントのロック位置で軸方向の移動が防止されている。
【０００３】
第１の差込コネクタの、第２の差込コネクタに向いた差込側に対して、各コンタクトエレメントがロックエレメントに対応配置された、軸方向で後退された（後方に配置された）移行区分でロックされるまで、ロックエレメントが軸方向で後退されるという不都合な点が生じる。ロックエレメントのガイド部が、第１の差込コネクタにおけるロックエレメントの移動性によって、移動遊びの枠内に設けられた、第１の差込コネクタにおける開口を成すので、コネクタが連結された状態で、第２の差込コネクタに対して第１の差込コネクタをシールするシール手段を、第１の差込コネクタへの第２の差込コネクタの差込方向で、ロックエレメントに対して軸方向で後置しなければならず、これによって差込コネクタが連結された状態で、ロックエレメントが、シールされた領域に位置することができる。このような配置構成によって、不都合に軸方向に長い大容積のコネクタが形成される。
【０００４】
発明の利点
これに対して、本発明による、請求項１記載の特徴を備えたコネクタは、前述の欠点が排除され、小さい構造容積のコネクタが実現されているという利点を有している。
【０００５】
コンタクトエレメントの自由端部を形成するコンタクト区分に対して半径方向の間隔をおいてそれぞれ少なくとも１つのロック体を有しているコンタクトエレメントによって、ロック位置においてロック体を形状接続により軸方向でカバーするロックエレメントは、コンタクトエレメントの自由端部、ひいては第１の差込コネクタの差込側に対して空間的に近くに配置することができる。
【０００６】
第１の差込コネクタに対する第２の差込コネクタの差込方向で、ロックエレメントに軸方向で後方に配置されたシールエレメントは、適当な形式で、第１の差込コネクタの差込側に向かって軸方向で前方にずらすことができるので、このような配置構成の場合、第２の差込コネクタは第１の差込コネクタを僅かな軸方向の連結距離でカバーすることができる。これによって狭い組み付け条件下でも使用可能な、小さく構成されたコネクタが得られる。
【０００７】
本発明を実施するための有利な構成手段が従属請求項に記載されている。特に請求項３によればロックエレメントはコード部分を有しており、このコード部分によって、第２の差込コネクタが補足的にコード化された場合しか、コネクタを閉鎖することができなくなっている。コード部分は、大きい製造コストをかけずに小さく構成されたロックエレメントで変化させることができるので、第２の差込コネクタとの連結におけるあらゆる実施形態のための第１の差込コネクタのケーシングを、固有のコード部分を備えていない不変の形状で製作することができる。これによってコネクタは大量生産で特に経済的な形式で製作することができる。
【０００８】
次に本発明の実施例を図示し詳しく説明する。
【０００９】
図１には、本実施例のコネクタ１１の構成部分として第１の差込コネクタ１２と、この差込コネクタ１２に連結可能な第２の差込コネクタ１３とが断面図で示されている。第１の差込コネクタ１２はケーシング１４を有しており、このケーシング１４は電気絶縁性のプラスチックから製作されている。ケーシング１４はほぼ直方体状で細長い本体として形成されており、この本体はコネクタ１１を閉鎖することによって、第２の差込コネクタ１３の、ケーシング１４に適合するように形成されたポット状の差込受容部１６に部分的に挿入される。
【００１０】
ケーシング１４の周面１８の受容部１７にシール手段１９が定置に支承されており、このシール手段１９はコネクタ１１の閉鎖状態では第２の差込コネクタ１３の差込開口１６の内面２１に向かってシールしているので、コネクタ１１の内面は両方の差込コネクタ１２，１３の連結位置に沿ってシールされている。
【００１１】
ケーシング１４には、第１の差込コネクタ１２の電極数に相応する数の、電極の長手方向延伸部において軸方向に向けられた受容室２２が形成されており、受容室２２は一列に相並んで配置されており、そのうちの１つの受容室２２が図１には縦軸線２３に沿った断面図で示されている。
【００１２】
各受容室２２には、扁平差込スリーブ（Flachsteckhuelse）として構成されているそれぞれ１つのコンタクトエレメント２４が矢印２６に沿って挿入され、しかも該コンタクトエレメント２４は縦軸線２３に対して対称的に配置されている。
【００１３】
コンタクトエレメント２４は、差込方向で前方に位置する、該コンタクトエレメント２４の、露出している（カバーされていない）端部領域２７にコンタクト区分２８を有している。コンタクト区分２８は４つのばね脚部２９によって形成されており、これらのばね脚部２９は対を成して縦軸線２３に対して対称的に相対して位置しており、第２の差込コネクタ１３のナイフ状のコンタクト部分３２とのコンタクト位置を形成するために互いに湾曲して延びている。ばね脚片２９はその自由端部で、導入領域３３を形成するために互いにほぼ逆方向に広げられている。
【００１４】
コンタクト区分２８に、細長い中央区分３４が接続されており、この中央区分３４において、ばね脚部２９はコンタクト部分３２の厚さの数倍の大きさの間隔でもって互いに平行に延びている。中央区分３４はネック状の移行区分３６に移行し、移行区分３６にコンタクトエレメント２４の他方の端部領域を形成する接続区分３７が続いている。移行区分３６は、この移行区分３６に隣接する区分３４，３７に比べて狭幅の横断面を有している。接続区分３７に、詳しくは図示していない形式で、導線３８が電気的に接続されている。
【００１５】
コンタクト区分２８と中央区分３４とはケース状のコンタクトフレーム３９によって取り囲まれている。コンタクトフレーム３９の、相対して平行に位置する側壁４１から係止舌片４２が曲げ出され、係止舌片４２は、縦軸線２３に対して外向きに傾斜しており、コンタクトエレメント２４が完全に受容室２２に挿入された状態で、ケーシングの、受容室２２に突入する突起４３に背面から係合しており、そのようにしてコンタクトエレメント２４の受容室２２からの一次的な引き抜け防止機構を形成している。
【００１６】
端部領域２７において、コンタクトフレーム３９は側壁４１から半径方向に突出しているロック体４４を有している。ケーシング１４には、コンタクトエレメント２４の端部領域２７に隣接して、ロックエレメント４６が、受容室２２へのコンタクトエレメント２４とロック体４４との差込方向に対して横方向に移動可能に支承されている。
【００１７】
ロックエレメント４６は、両方の差込コネクタ１２，１３の同時案内が防止されているロック解除位置から、両方の差込コネクタ１２，１３の連結が可能であるロック位置に移行可能であって、このロック位置においてコンタクトエレメント２４に設けられたロック体４４がロックエレメント４６によって形状接続式（formschluessig；形状による束縛）に軸方向でカバーされている。しかもケーシング１４にもたらされたコンタクトエレメント２４が完全に受容室２２に挿入されている場合しか、ロックエレメント４６はロック位置に移行することができない。この場合ロックエレメント４６は、受容室２２からのコンタクトエレメント２４の二次的な引き出し防止機構を形成する。
【００１８】
ロックエレメント４６はコード部分４７を備えており、このコード部分４７によって、第２の差込コネクタ１３が補足的にコード化された場合しかコネクタ１１は閉鎖することができない。したがってケーシング１４は、コード部分４７を有していない形式で、単一の構成で経済的かつ大量に製作することができる。なぜならば第１の差込コネクタ１２のコード化の具体化は、小さくて簡単に交換可能なロックエレメント４６に得られるからである。
【００１９】
軸方向でロックエレメント４６に続いており、移行区分３６と、該移行区分３６に隣接する中央区分３４の一部とに対して半径方向間隔をおいて位置するケーシング１４の周面１８に、シール手段１９が定置に支承されている。シール手段１９は、環状に閉鎖されたゴム弾性的な半径方向シールとして形成されており、このシール手段１９は、列状に配置されたコンタクトエレメント２４によって軸線方向で細長くなっているケーシング１４の形状に適合されている。シール手段１９は外側に位置し半径方向で突出している環状のシール隆起部４８を有しており、シール隆起部４８はコネクタ１１が閉鎖された状態で、第２の差込コネクタ１３のポット状の差込受容部１６の内面２１に摩擦接続式（kraftschluessig；摩擦による束縛）に支持されており、差込コネクタ１１をライン状にシールする。
【００２０】
コンタクトエレメント２４の露出した端部領域２７と、第２の差込コネクタ１３に向いた側のコンタクト区分２８とに対して、シール手段１９が空間的に近くに位置することによって、差込受容部１６はシール手段１９に周面係合するための軸方向延伸部において短く保持することができる。
【００２１】
ロックエレメント４６とロック体４４とを、第２の差込コネクタ１３に隣接可能な第１の差込コネクタ１２の一部に取り付けることによって得られる配置構成によって、コネクタ１１は小さく構成され、このコネクタ１１は車両に取り付ける多くの場合に生じる、さらに狭い組み込み条件下でも使用可能である。
【図面の簡単な説明】
【図１】  コネクタの部分断面図である。
【符号の説明】
１１  コネクタ、１２  第１の差込コネクタ、１３  第２の差込コネクタ、１４  ケーシング、１６  差込受容部、１７  受容部、１８  周面、１９  シール手段、２１  内面、２２  受容室、２３  縦軸線、２４  コンタクトエレメント、２６  矢印、２７  端部領域、２８  コンタクト区分、２９  ばね脚部、３２  コンタクト部分、３３  導入領域、３４  中央区分、３６  移行区分、３７  接続区分、３８  導線、３９  コンタクトフレーム、４１  側壁、４２  係止舌片、４３  突起、４４  ロック体、４６  ロックエレメント、４７  コード部分、４８  シール隆起部
【図１】
0004499298.tif 000002